(57)【要約】【課題】  本発明は、内容物を加熱ないし冷却することができる容器を提供する。【解決手段】  少なくとも１つの製品を収容するのに適した容器（１０１）であって、該製品のための一体的であり活性化可能な加熱（又は冷却）システムと、ライニングとを有し、このライニングと容器とにより、少なくとも３つの相互に隔離可能な領域、すなわち、ｉ）製品が収容される１又はそれ以上の領域；ii）化学反応体の第１の種類のものが収容される領域（１１６）；iii）化学反応体の第２の種類のものが収容される領域（１１５）が画成され、該容器が更に、回転自在なアクチベータ（１０７）、例えば、容器外部に配置された活性化用ノブと、この容器内で回転自在に装着され前記アクチベータの回転により操作される前記ii）およびiii）の隔離を終了させるための手段とを備え、前記ii）およびiii）の上部が使用時において反応体から前記ｉ）（又は、その逆）への熱伝導を邪魔しないように位置していることを特徴とする容器。【選択図】図１ａ
2008500243.tif 000002
【特許請求の範囲】
【請求項１】
少なくとも１つの製品を収容するのに適した容器であって、該製品のための一体的であり活性化可能な加熱（又は冷却）システムと、ライニングとを有し、このライニングと容器とにより、少なくとも３つの相互に隔離可能な領域、すなわち、ｉ）製品が収容される１又はそれ以上の領域；ii）化学反応体の第１の種類のものが収容される領域；iii）化学反応体の第２の種類のものが収容される領域、が画成され、該容器が更に、回転自在なアクチベータ、例えば容器外部に配置された活性化用ノブと、この容器内で回転自在に装着され前記アクチベータの回転により操作される前記ii）およびiii）の隔離を終了させるための手段とを備え、前記ii）およびiii）の上部が使用時において反応体から前記ｉ）（又は、その逆）への熱伝導を邪魔しないように位置していることを特徴とする容器。
【請求項２】
前記領域ii）およびiii）の上部を、前記ｉ）と前記容器の外面との間に介在させてなる請求項１記載の容器。
【請求項３】
少なくとも１つの製品を収容するのに適した容器であって、該製品のための一体的であり活性化可能な加熱（又は冷却）システムと、ライニングとを有し、このライニングと容器とにより、少なくとも３つの相互に隔離可能な領域、すなわち、ｉ）製品が収容される１又はそれ以上の領域；ii）化学反応体の第１の種類のものが収容される領域；iii）化学反応体の第２の種類のものが収容される領域、が画成され、該容器が更に、回転自在なアクチベータ、例えば容器外部に配置された活性化用ノブと、この容器内で回転自在に装着され前記アクチベータの回転により操作される前記ii）およびiii）の隔離を終了させるための手段とを備え、前記ii）およびiii）の隔離部に、可動部材により閉塞された孔が設けられ、前記ii）およびiii）の隔離を終了させるための手段が例えば再整合により前記可動部材を移動させると共に、活性化により２種類の反応体を混合させ、それにより前記ｉ）を加熱ないし冷却するようにしたことを特徴とする容器。
【請求項４】
前記孔開口手段が前記ii）およびiii）とを同時に流体的に連通可能とするマニホールドを具備してなり、前記アクチベータの回転により前記孔を整合可能となっている請求項３記載の容器。
【請求項５】
前記活性化用ノブが誤用防止手段を有する請求項１ないし４のいずれかに記載の容器。
【請求項６】
第１の誤用防止手段を有し、該第１の誤用防止手段は活性化用ノブのタブと該ノブのボスとの間に脆い接続部材を備えている請求項５記載の容器。
【請求項７】
少なくとも部分回転されたノブの逆回転を防止するのに有効な第２の誤用防止手段を有する請求項１ないし６のいずれかに記載の容器。
【請求項８】
化学的反応体の第１の種類が燃料を含み、化学的反応体の第２の種類が酸化体を含む請求項１ないし７のいずれかに記載の容器。
【請求項９】
前記燃料がグリセロールなどのグリコールを含み、前記酸化体が過マンガン酸塩を含む請求項８記載の容器。
【請求項１０】
化学的反応体の少なくとも１種が希釈剤を含む請求項８又は９記載の容器。
【請求項１１】
使用時において、前記iii）が前記ｉ）より下に位置している請求項１ないし１０のいずれかに記載の容器。
【請求項１２】
化学的反応体の第１の種類が液体として存在し、これが使用時において重力により前記領域iii）内に供給されるようになっている請求項８ないし１１のいずれかに記載の容器。
【請求項１３】
前記領域ii）およびiii）の上方部位間に圧力平衡化手段を有する請求項１ないし１２のいずれかに記載の容器。
【請求項１４】
前記容器及び/又はライニングが一体構造として射出成形されたものである請求項１ないし１３のいずれかに記載の容器。
【請求項１５】
略円筒形に構築されている請求項１ないし１４のいずれかに記載の容器。
【請求項１６】
容器周縁に互いに離間させた複数の補強リブを有する請求項１ないし１５のいずれかに記載の容器。
【請求項１７】
前記容器及び/又はライニングが、流動点が１１０℃より高い、好ましくは１３５℃より高い充填材入り又は充填材なしのプラスチック材料から製作されている請求項１ないし１６のいずれかに記載の容器。
【請求項１８】
前記容器及び/又はライニングが、例えば、ポリプロピレン、ＣＰＥＴなどのポリオレフィン又はポリエステルを含むプラスチック材料から製作されている請求項１ないし１７のいずれかに記載の容器。
【請求項１９】
前記ライニングが、例えばＥＶＯＨなどの継続的バリア層を含む請求項１ないし１８のいずれかに記載の容器。
【請求項２０】
前記容器がポリプロピレン又はそれを含むものから射出成形され、前記ライニングがポリプロピレン又はそれを含むものから熱成形されたものである請求項１８又は１９記載の容器。
【請求項２１】
領域ｉ）と熱的に接触する外部熱変色性領域を含み、これが加熱時に変色効果を奏する請求項１ないし２０のいずれかに記載の容器。
【請求項２２】
前記ライニングを例えばスポット溶接により容器内部に接合させる前に、前記領域ii）およびiii）の内の少なくとも１つに反応体が充填されている請求項１ないし２１のいずれかに記載の容器。
【請求項２３】
領域ｉ）に食料品が収容されている請求項１ないし２２のいずれかに記載の充填済み容器。
【請求項２４】
シールされていて、そのシール部も第３の誤用防止手段として作用している請求項２３記載の充填済み容器。
【請求項２５】
前記シール部が紙、カード、プラスチックホイル又は金属ホイルを含む請求項２３又は２４記載の充填済み容器。
【請求項２６】
押込み嵌め様式のプラスチック蓋を更に有する請求項２５記載の充填済み容器。
【請求項２７】
前記シール部が気密シールであり、食料品が必要に応じて滅菌されている請求項２４ないし２６のいずれかに記載の充填済み容器。
【請求項２８】
本明細書中に実質的に記載され、添付図面を参照して実質的に記載された充填済み又は未充填の充填済み容器。
【請求項２９】
請求項２３の充填済み容器の製造のための方法であって：領域ii）およびiii）内に化学反応体の第１および第２の種類のものをそれぞれ収容する工程と；この容器に対しライニングを接着させる工程と；領域ii）上のライニングに通気口を形成する工程と；領域ｉ）を充填する工程と；容器を封止する工程とを具備してなる方法。
【請求項３０】
容器に対しライニングを接着させる工程の前に、領域ｉ）の充填を行う請求項２９記載の方法。
【請求項３１】
本明細書中に実質的に記載され、添付図面を参照して実質的に記載された充填済み容器の製造方法。
【請求項３２】
前記ライニングが存在しない請求項２２に規定された容器部材。
【発明の詳細な説明】
【技術分野】
【０００１】
本発明は容器に関する。特に本発明は、内容物を加熱ないし冷却することができる容器に関する。
【背景技術】
【０００２】
米国特許Ｎｏ．４，８０９，６７３（文献１）には、使い捨てトレイを備えた加熱容器が開示されている。この使い捨てトレイには食料品を収容した上部区域と、１又はそれ以上の水密隔壁により互いに分離された２つの試薬を収容した下部区域とが設けられている。このトレイには更に前記水密隔壁を破断するための径方向の刃およびこのトレイの外側から見える制御ノブを備えた１つの軸と、更に、前記軸を横切るオリフィスを備えた少なくとも１つのスクリーンとを有する。
【０００３】
しかしながら、本出願人はそこに開示されている好ましい実施の形態のものを効率的に機能させることが困難であることを見出した。具体的には、使用時において、破断された隔壁の残留物が熱伝導をかなり邪魔することが見出された。更に、表面張力およびエアロック作用などの種々の理由から、反応体燃料のかなりの量が当初の隔壁と共に残留し、反応の熱効率を減少させると共に熱伝導を妨害することが見出された。更に、混合の様式も、局所的過熱を生じさせ、他の領域では、収容されている製品の不完全加熱を生じさせるものと思われる。
【０００４】
【特許文献１】米国特許Ｎｏ．４，８０９，６７３
【特許文献２】米国特許Ｎｏ．５，０３５，２３０
【特許文献３】米国特許Ｎｏ．５，９８４，９５３
【特許文献４】米国特許Ｎｏ．６，１１６，２３１
【特許文献５】米国特許ＰＣＴ／ＵＳ２００５／０１５７９３
【発明の開示】
【発明が解決しようとする課題】
【０００５】
本発明は、特に、上述のような欠点を解消ないし少なくとも軽減させることができる改良された容器を提供することを目的とするものである。
【課題を解決するための手段】
【０００６】
本発明の１つの形態によれば、加熱又は冷却されるべき少なくとも１つの製品（例えば、食料品）を収容するのに適した容器を提供するものであって、この容器は、食料品又は他の製品のための一体的であり活性化可能な加熱（又は冷却）システムと、ライニングとを有し、このライニングと容器とにより、少なくとも３つの相互に隔離可能な領域、すなわち、ｉ）食料品又は他の製品が収容される１又はそれ以上の領域；ii）化学反応体の第１の種類のものが収容される領域；iii）化学反応体の第２の種類のものが収容される領域が画成されている。この容器は更に、回転自在なアクチベータ（例えば、容器外部に配置された活性化用ノブ）と、この容器内で回転自在に装着され前記アクチベータの回転により操作される前記ii）およびiii）の隔離を終了させるための手段とを備え、前記ii）およびiii）の上部が使用時において反応体から前記ｉ）（又は、その逆）への熱伝導を邪魔しないように位置している。好ましくは、このii）およびiii）の上部を、前記ｉ）と前記容器の外面との間に介在させる。
【０００７】
本発明の１つの形態によれば、加熱又は冷却されるべき少なくとも１つの製品（例えば、食料品）を収容するのに適した容器を提供するものであって、この容器は、食料品又は他の製品のための一体的であり活性化可能な加熱（又は冷却）システムと、ライニングとを有し、このライニングと容器とにより、少なくとも３つの相互に隔離可能な領域、すなわち、ｉ）食料品又は他の製品が収容される１又はそれ以上の領域；ii）化学反応体の第１の種類のものが収容される領域；iii）化学反応体の第２の種類のものが収容される領域が画成されている。この容器は更に、回転自在なアクチベータ（例えば、容器外部に配置された活性化用ノブ）と、この容器内で回転自在に装着され前記アクチベータの回転により操作される前記ii）およびiii）の隔離を終了させるための手段とを備え、前記ii）およびiii）の隔離部には、可動部材により閉塞された孔（好ましくは、予め成形されたもの）が設けられ、前記ii）およびiii）の隔離を終了させるための手段が例えば再整合により前記可動部材を移動させると共に、活性化により２種類の反応体を混合させ、それにより前記ｉ）を加熱ないし冷却するようになっている。好ましくは、前記孔開口手段が前記ii）およびiii）と同時に流体的に連通するマニホールドを具備してなり、前記アクチベータの回転により前記孔と整合可能となっている。
【０００８】
前記容器の形状については特に制限はなく、例えば、四角形、円形又は長円形のものでもよい。この容器（又は、一般的な円形形状の場合、外側ボウル）はプラスチック材料を用い、好ましくは射出成形により製作されることが好ましい。このボウルは比較的口広のもの、例えば典型的なスープ茶碗のようなもの、あるいはスープ又はコーヒー用コップのような比較的狭い口のものであってもよい。望ましくは、この容器の肉厚は１．０ｍｍを超えないもの、より好ましくは０．３ないし０．７ｍｍの範囲とする。但し、局所的に肉厚にすることは有益なことである。前記ライニング（又は、一般的な円形形状の場合、内側ボウル）はプラスチック材料を用い、熱成形又は射出成形により製作することができるが、アルミニウムホイル又は錫ホイルなどの金属ホイルを用い、スエージ加工により所望の形状に成形してもよい。この金属にはプラスチック材料をコーティングし、容器のスロート部（狭まった通路）へのスポット溶接又は継ぎ合わせを容易にすることが好ましい。この金属には更に、食料品と接触する側の部分にラッカー又はプラスチック材料を塗布してもよい。
【０００９】
この容器の好ましい実施の形態として、前記領域ii）およびiii）を一体構造として射出成形する。この実施の形態の場合、前記ライニングには前記ｉ）が含まれる。
【００１０】
この容器の好ましい実施の形態として、ライニングを例えばスポット溶接により容器内部に接合させる前に、前記領域ii）およびiii）の内の少なくとも１つ、好ましくはこれら双方に反応体を充填する。事実、本発明の更なる形態として、ライニングが存在せず、前記領域ii）およびiii）を有し、その内の少なくとも１つ、好ましくは双方に反応体が充填された部分的容器が提供される。
【００１１】
回転自在なアクチベータは使用者により握持できるようになっている。これは、例えば、ノブ、レバー、ハンドル、キー又はスイッチの形態であってもよい。アクチベータおよびこれに連動する前記ii）およびiii）の隔離を終了させるための手段も、一体的構造として適切に射出成形することができる。この構造物は好ましくは、容器を高温に加熱しながら容器内の所定位置に、低温で押込み嵌挿させることにより装着させる。
【００１２】
液状の化学的反応体が収容される領域は、使用時において、他の種類の化学的反応体が収容される領域並びに前記ii）およびiii）の隔離を終了させるための手段の双方よりも上にあることが好ましい。更に、前記iii）は前記ｉ）より下に位置することが好ましい。化学的反応体の第１の種類が液体として存在し、これが使用時において重力により前記領域iii）内に供給されることが好ましい。
【００１３】
化学的反応体の２つの種類は混合されたとき、熱又は冷却作用を生じさせることができる。前者の例は、化学的反応体の第１の種類が燃料を含み、化学的反応体の第２の種類が酸化体を含むシステムである。例えば、ここで、燃料はグリセロールなどのグリコールを含み、酸化体は過マンガン酸塩を含む。熱を発生させるシステムの他のクラスは、化学的反応体の１種が他の種類のものを溶媒和ないし加水分解させ、発熱を生じさせるものである。その１例は、反応体の一方の種類のものが酸化カルシウムであり、他方の種類のものが水である。冷却作用を生じさせる後者のシステムの例には、化学的反応体の１種が他の種類のものを溶媒和させるが、冷却作用を生じさせるものである。その１例は反応体の一方の種類のものが硝酸アンモニウムであり、他方の種類のものが水である。化学的反応体の少なくとも１種のものが希釈剤を含むものであってもよい。
【００１４】
本発明の普遍性を制約することを意図するものではないが、更に、グリセロールを含む化学的反応体の第１の種類について、過マンガン酸カリウムを含む化学的反応体の第２の種類と共に更に説明する。このグリセロールは水溶液として存在させてもよい。過マンガン酸塩も、過マンガン酸ナトリウム水溶液などのような溶液として存在させても、あるいは過マンガン酸カリウムなどの固体として存在させてもよい。この後者の固体のものは、例えば米国特許Ｎｏ．５，０３５，２３０（上記特許文献２）および米国特許Ｎｏ．５，９８４，９５３（上記特許文献３）に開示されているように、可溶性バインダー内に埋め込まれていることが好ましい。好ましい酸化体はアルカリ金属過マンガン酸塩である。この第２の種類の化学的反応体が固体の場合、容器の下方部分にバラで存在させても、あるいは袋詰めで、又は塗布して存在させてもよい。
【００１５】
過マンガン酸カリウム酸化剤を利用する或る実施の形態において、加熱処方において、反応減速剤の添加が望ましいこともある。その１例は非燃料ゲル化剤であり、例えば米国特許Ｎｏ．６，１１６，２３１（上記特許文献４）（２０００年９月１２日発行）に開示されている。発熱反応に使用される試薬が被加熱製品の急速な温度上昇のための急激な発熱を生じさせるようにした実施の形態において、温度上昇を緩和ないしキャッピングするためホウ砂又はホウ酸ナトリウムなどの塩を添加することが望ましいことがある。その例が、例えば係属中の特許出願である米国特許ＰＣＴ／ＵＳ２００５／０１５７９３（上記特許文献５）に開示されている。キャッピング試薬は可融性ワックス内に混入させ、これを製品容器と熱結合させ、この製品容器が選択された温度に到達したときに放出させるようにすることができる。
【００１６】
本発明の特に好ましい実施の形態において、領域ii）はグリセロール水溶液を収容するものでもよく、更に、このグリセロール水溶液は発泡抑制剤を含むものであってもよい。この領域の下方領域の一部（好ましくは上面）は孔を有する中空筒体として形成されていて、開口時に領域ii）と領域iii）との間の連通を可能にしている。前記領域ii）およびiii）の隔離を終了させるための手段はバレルを有する。このバレルは孔又はスロットを有し、前記筒体内に液密的に押込み嵌めするようになっている。この手段は前記活性化用ノブに取着されている。未活性化状態において、この孔又はスロットは好ましくは、前記筒体の孔と径方向に対向して設けられる。それによりこれら領域が隔離された状態となる。
【００１７】
本発明の他の好ましい実施の形態において、領域ii）は領域iii）上の周方向貯蔵部として形成される。前記の中空筒体は２つの孔を有し（好ましくは、その上面に）、その１つは開口時において領域ii）の下方部位と領域iii）との間の連通を可能にし、他の１つは開口時において領域iii）と、導管を介しての領域ii）上方の空間との間の連通を可能にしている。領域ii）およびiii）の隔離を終了させるための手段はバレルを有し、このバレルは前記筒体内に液密的に押込み嵌めする２つのマニホールドとして構築されている。この手段は前記活性化用ノブに取着されている。未活性化状態において、これらのマニホールドは双方の孔を閉塞しており、それによりこれら領域が隔離された状態となる。
【００１８】
、
この活性化用ノブは、意図しない活性化を防止するため誤用防止手段（ｔａｍｐｅｒ−ｅｖｉｄｅｎｔ  ｍｅａｎｓ：いじくったり又はいたずらした跡が判明するよう工夫された手段）を有することが好ましい。第１の誤用防止手段は、アクチベータの回転を防止するための脆い部材、例えば、前記ノブの直立ハンドル又はタブと、前記ノブのボスとの間の脆い接続部材を有する。容器を活性化するためには、タブを引き下げて、この脆い接続部材を破断しなければならない。この脆い部材の破断作用は操作したこと（ｔａｍｐｅｒ）の証拠を供与することになる。前記容器は更に、少なくとも部分回転されたノブの逆回転を防止するのに有効な第２の誤用防止手段を有することが好ましい。この第２の誤用防止手段は、領域ii）およびiii）の隔離を終了させるための手段と連動して操作される爪‐つめ車システムを有していてもよい。その他、前記スロットの前方端部の少なくとも一部は、活性化時に前記孔に導入され逆回転を防止する弾性歯として形成されていてもよい。前記第２の誤用防止手段の更なる実施の形態において、アクチベータの回転を最初に防止し、活性化時にノブのボス上に留まっている前記の脆い部材の部分が、逆回転を防止するボウル上の干渉部材と相互作用するようになっている。好ましくは、この第２の誤用防止手段は、使用に際し、前記孔が開口し始めたとき、直ちに操作可能になっているべきである。
【００１９】
いったん、容器の３つの領域の全てが満たされ、封止された場合に、第３の誤用防止手段が提供されることが好ましい。ノブ又は他のアクチベータが回転されたときでも、領域ii）のための通気性カバーからシール（封止物）が除去され、液状化学反応体が重力供給により前記孔を通って領域iii）に排出されるまでは、このシステムは正しく機能せず、或る場合には、恐らく全く機能しない。通気口は好ましくは座ぐり状にする。シールの除去しないままの早期活性化は少なくとも熱の発生を緩和させ、それにより安全対策が図られる。領域ii）のためのカバーの通気口からシールの除去も誤用防止手段を提供することになる。場合によっては、領域ii）およびiii）の上方部位間に圧力平衡化手段を設けることが望ましい。例えば、領域ii）およびiii）の上方部位間にガス透過性、液体非透過性ポート、導管又はノッチを設けて領域ｉ）の直下の空気の断熱層の淀みを防止する。特に、それを上述のように領域ii）の通気口と連通させて行うことができる。前記ポートを圧力栓で閉塞することができるが、放出圧力が、例えば２ｐｓｉｇと非常に低く、容器を加圧しないようになっている。
【００２０】
容器は更に、周縁に互いに離間させた複数の補強リブを有していてもよい。これらのリブも手で保持することができ、消費者に対し或る程度の断熱作用を付与するものである。同様に、容器の底部に窪みを持たせ、支持表面への熱伝動を回避するようにしてもよい。場合によっては、容器の下方領域に断熱体を設けて、消費者への快適性および加熱システムの熱効率の両方を奏するようにすることも適切なことである。この断熱体は、例えば、段ボール、発泡体又はＣＰＥＴのスリーブからなるものであってもよい。
【００２１】
容器及び/又はライニングは充填材入り又は充填材なしのプラスチック材料であって、流動点が１１０℃より高い、好ましくは１３５℃より高いものから製作することができる。レトルト滅菌は１２５℃に至る温度で行われる。従って、ライニングは少なくとも、このレトルト滅菌に耐え得るものでなければならない。好ましくは、この容器及び/又はライニングは、例えば、ポリプロピレン、ＰＥＴなどのポリオレフィン又はポリエステルを含むプラスチック材料から製作される。必要に応じて、ライニングには、例えばＥＶＯＨなどの継続的バリア層を含むものであってもよい。ライニングがポリプロピレンから熱成形されると共に、容器もポリプロピレンから射出成形されたものであることが特に好ましい。
【００２２】
本発明の好ましい特徴によれば、消費者の信用を促進するため、活性化用ノブおよび誤用防止タブは伝統的なガス調理器具用ノブとして機能するように形成することができ、タブは使用時において引下げられ（それにより脆い誤用防止手段を破断させる）、ノブ中の溝内にロックされ、ついでノブを回転するのに使用される。
【００２３】
本発明の他の好ましい特徴によれば、領域ｉ）と熱的に接触する外部熱変色性領域を含み、これは加熱時に変色する効果を有する。この領域はノブ上に設けるか（例えば、ノブの中央部にスポットとして示す）、若しくはこの領域をホイルカバー上に表すか、あるいはこの領域が販売促進表示のための領域であってもよく、そこに熱変色性領域が表示として現れるようにしてもよい。
【００２４】
本発明の更なる形態として、領域ｉ）に食料品が含まれる充填された容器が提供される。領域ｉ）に収容されるべき食料品が安定な食料品の場合、この食料品は容器内に組み込まれる前に領域ｉ）に収容してもよい。しかし、一般に、容器は領域ii）およびiii）を有し、これらに化学反応体が収容され、この部分構造体にライニングが施され、このライニングに通気口が形成され、このライニングが満たされ、容器が封止される。
【００２５】
充填された容器は封止が施され、この封止部を第３の誤用防止手段として作用させてもよい。この封止部は紙、カード、プラスチック箔又は金属箔からなるものでもよい。この充填された容器は更に、押込み嵌め式プラスチック蓋を含むもの及び/又はシールが気密シールであるカードスリーブ内に収容されていてもよく、食料品は必要に応じて滅菌される。
【００２６】
本発明の更なる形態によれば、本発明による充填済み容器の製造のための方法が提供され、これは領域ii）およびiii）内に化学反応体の第１および第２の種類のものをそれぞれ収容する工程と；この容器に対しライニングを接着させる工程と；領域ii）上のライニングに通気口を形成する工程と；領域ｉ）を充填する工程と；容器を封止する工程とを含む。好ましくは、容器に対しライニングを接着させる工程の前に、領域ｉ）の充填を行う。
【発明を実施するための最良の形態】
【００２７】
以下、本発明の実施の形態を添付図面を参照して説明する。
図１ないし９を参照すると、これらには例えばボウルなどの容器（１０１）の第１の実施の形態が示されており、これはポリプロピレンを用いて好ましくは射出成形法によりほぼ円形に製作される。この容器の開口部は、リップ（１０２）として形成され、そこから複数の互いに離間した一体的補強リブ（１０３）が下向きに形成されている。この容器は略テーパー状深さを以って形成され、その下部がくびれていてベース（１０４）を形成している。２つの隣接するリブ（１０３Ａ、１０３Ｂ）間には指示表示（１０５）が記されていて、これらリブの下方領域間には、活性化用ノブ（１０７）のためのハウジング（１０６）が形成されている。このノブの下方円弧状周面には一体的フランジ（１０８）が形成されていて、このフランジが、前記表示を覆い隠す誤用防止タブ（１０９）まで上方に延びている。このフランジがこのタブに延出する部分の直径部分に肉薄部（１１０）の帯が形成され、タブは、ノブの上方半円部の周りで、脆弱接合部（１１１）を除いてノブから分離されている。このノブ（１０７）には、肉薄部（１１０）を通る径方向に沿って一対の溝（１１２、１１２'）が離間して設けられ、脆弱接合部（１１１）が使用時に破断されたとき、タブを押込み嵌め様式で受理するようになっている。ノブ上に残された脆弱接合部の部分（１１１Ａ）は使用時に、容器に一体的に設けられ面取りされたピン（１１２Ｂ）を乗り越えるよう回転可能になっていて、ノブの逆転を防止するようになっている。容器の内部又は外側ボウル（１１３）は一体的隔壁（１１４）により２つの領域、つまり、化学反応体の第２の種類のものが収容される凸状領域（１１５）と、化学反応体の第１の種類のものが収容される三日月型領域（１１６）とに分離されている。この隔壁と、容器との間に介在し、かつ、領域（１１６）のベースの一体的部分を形成するようにして略円筒状のハウジング（１１７）が一体的に設けられている。このハウジング（１１７）は垂直ポート（１１８）と、水平孔（１１９）とを有し、それにより前記の２つの領域が連通するようになっている。
【００２８】
容器の内部又は外側ボウルの内部には、鍔付きライニング又は内側ボウル（１２０）が設けられ、これはリップ（１０２）に対し複数の箇所でスポット溶接されており、更にこれには三日月型領域上の部分には通気口（１２１）が設けられている。食料品（図示しない）はライニング内に収容することができ、ついで、容器はホイル（図示しない）で封止され、滅菌される。
【００２９】
ノブ（１０７）は心棒（１２１Ａ）と一体的に形成され、この心棒（１２１Ａ）はハウジング（１１７）内に液密に押込み嵌めされる。この心棒はポート（１２２）を有し、これは未操作状態（ｕｎｔａｍｐｅｒｅｄ  ｓｔａｔｅ）では孔（１１９）と整合していない。
【００３０】
使用時において、封止用ホイル（図示しない）は取り除かれ、タブ（１０９）が下方に向けて操作され、脆弱接合部（１１１）を破断させ；タブ（１０９）を更に溝（１１２、１１２'）内に配置させ；ついで今や表示されている指示表示（１０５）に従って回動される。この回動により心棒（１２１Ａ）が回転され、それによりポート（１２２）が孔（１１９）と整合することになる。これにより燃料としてのグリセロールが、酸化体としての過マンガン酸カリウムと接触することになる。その結果生じた発熱が、保護ライニング（１２０）内に収容されている食料品（図示しない）に伝達されることになる。ついで、食料品内容物は、指示表示に従って封止用ホイル（図示しない）を除去したのち、食料品内容物を傾けたり、容器から直接摂取することにより供与されることになる。
【００３１】
図１０ないし１６を参照すると、そこに例えば、コップ状の容器（２０１）の第２の実施の形態が示されている。これはポリプロピレンを用いて好ましくは射出成形法によりほぼ円形に製作される。この容器は、自己接着性外周用紙製又はプラスチック製シュラウド（２０２）（これは小売商のためブランド（図示しない）を付していてもよい）を有している。この容器は適宜、略テーパー状深さを以って形成され、その外側下半部に、放射状に延出し互いに離間した複数の補強リブ（２０３）が設けられている。この容器の深さのほぼ中間点に、図１５に詳細に示すように、活性化用ノブ（２０７）のための略円筒状ハウジング（２０６）が設けられている。このノブには、その下方周縁に一体的フランジ（２０８）が設けられ、このフランジ（２０８）はボス（２０４）上に付設され、このボスには一体的補強部材（２０５）が取着されている。このフランジ（２０８）は誤用防止タブ（２０９）に向けて上方に延出している。このタブ（２０９）は脆弱接続部（２１１）を除いてボスから分離している。このフランジがこのタブに延出する部分の直径部分に肉薄部の帯が形成され、そこに境界部として２つの舌部列（２１０）および溝列（２１０'）が設けられ、これらは使用時に脆弱接続部（２１１）が破断されたとき、前記タブを押込み嵌め様式で受理するよう位置合わせされている。ハウジング（２０６）の胴部には周方向爪車（２５０）（部分的に示されている）が設けられていて、これがボス（２０４）に一体的に設けられている爪（２５１）を歯合してノブの偶発的逆転を防止するようになっている。ハウジング（２０６）には更に、非操作位置（ｕｎｔａｍｐｅｒｅｄ  ｐｏｓｉｔｉｏｎ）において前記の２つの列（２１０、２１０'）のラインに沿う径方向の対向する側に２つのラグ（出張り）（２６４，２６４'）が設けられていて、タブ（２０９）としてノブ（２０７）の偶発的逆転を防止するようになっている。
【００３２】
容器（２０１）はリップ（２５２）を有し、その上に、窪み付きスロート（２５３）を備えポリプロピレン被覆金属からなる同軸フランジ付きライニング（２２０）が載置され、かつ、スポット溶接され継ぎ合わされている。このライニングは容器（２０１）の上方壁面内に組み込まれ、周方向に配置された第１の貯蔵部（２１６）の内壁面に押込み嵌めされる。この第１の貯蔵部（２１６）にはグリセロール水溶液などの反応体の第１の種類のものを収容することができる。この容器と一体化するようにして第２の貯蔵部（２１５）がライニングの下方に設けられている。この第２の貯蔵部（２１５）には、過マンガン酸塩などの反応体の第２の種類のものを収容することができる。
【００３３】
第１の貯蔵部（２１６）の外壁面上方部位には、この貯蔵部と連通する２つの通気口（２５４、２５５）が設けられている。上方通気口（２５４）は蒸気（反応体により発生したとき）を放出するものであり、フィルター材（図示しない）で覆われている。下方通気口（２５５）はフェイルセイフ圧力放出のためのものであり、接着テープ（図示しない）で覆われている。双方の通気口とも、容器の外壁面に設けられた略三角形のトラフ（２５６）を介して、容器壁面の略台形の窪み（２５８）に収納された吸収材詰綿（２５７）に通じている。
【００３４】
第１の貯蔵部（２１６）の基部の一部は一体的な略円筒状ハウジング（２１７）として形成されていて、これがハウジング（２０６）と同軸的に連通している。更に、このハウジングは容器の軸に対し直交し、更に、このハウジング（２１７）の上部には水平孔（２１８）が設けられている。前記の第１の貯蔵部には更に、凸状壁面を有する導管（２５９）が設けられていて、これがハウジング（２１７）の上方領域および上方通気口（２５４）近傍の第１の貯蔵部（２１６）上の領域と連通している。活性化用ノブ（２０７）は心棒（２２１）と一体的に形成され、この心棒（２２１）は、フランジ（２６１）により保持されたハウジング（２１７）内に液密に押込み嵌めされている。この心棒の内部は２つのマニホールド（２６２、２６３）として形成され、下方のマニホールド（２６２）は使用時において、孔（２１８）を介して第１の貯蔵部（２１６）を第２の貯蔵部（２１５）と連通させるようになっており、上方のマニホールド（２６３）は同時に導管（２５９）を第２の貯蔵部（２１５）と連通させるようになっている。しかし、未操作状態において、双方のマニホールド（２６２、２６３）とも、第１の貯蔵部（２１６）および導管（２５９）とそれぞれ整合しないようになっている。
【００３５】
反応体（図示しない）は、ライニングが所定位置に押込み嵌めされ、スポット溶接により継ぎ合わされる前に前記貯蔵部に収容させることができる。
【００３６】
食料品（図示しない）がついで、ライニング内に収容されたのち、容器がホイル（箔）（図示しない）により窪み付きスロート（２５３）を横切るようにして封止され、ついで滅菌される。
【００３７】
使用時において、消費者は封止ホイル（図示しない）を取り除き、タブ（２０９）を下方に操作し、脆弱接合部（２１１）を破断させ；溝列（２１０'）内に位置させ；ついで、時計回りに回転させる。それにより心棒（２２１）が回転し、孔（２１８）が、マニホールド（２６２）を介して第２の貯蔵部（２１５）と連通することになる。その結果、第１の貯蔵部（２１６）内の反応体の液状の第１の種類のものが重力により流れ出し、反応体の第２の種類のものと混合し、発熱（又は吸熱）を生じさせ、ライニング（２２０）およびその内容物を加熱（又は冷却）することになる。同時に、マニホールド（２６３）が導管（２５９）と連通することになり、それにより第２の貯蔵部（２１５）上の空気が第１の貯蔵部（２１６）および通気口（２５４）へと流れ込むことになり、反応体の円滑、かつ、制御された混合を確実なものとすることができる。反応体が発熱を生じさせる場合、第２の貯蔵部（２１５）内で発生した蒸気はトラフ（２５６）を介して吸収材詰綿（２５７）に通過させることができる。容器はシュラウド（２０２）によりマスクされ、これはリブ内空隙と一緒になって、消費者の手に対する絶縁作用を奏するものとなる。この反応が終了した時点で、消費者は加熱された（冷却された）飲料を飲むことができる。
【図面の簡単な説明】
【００３８】
【図１ａ】未操作状態の容器の第１の実施の形態を示すもので、その中央部の垂直縦断面図。
【図１ｂ】操作状態の容器の第１の実施の形態を示すもので、その中央部の垂直縦断面図。
【図２】図１に示した容器を上から見た斜視図。
【図３】図１に示した容器を下から見た斜視図。
【図４】図１に示した容器でノブなしのものを下から見た斜視図。
【図５】図４に示す容器を上から見た斜視図。
【図６】図１の細部を示す断面図。
【図７】ノブ構造の詳細を示す背後上方から見た斜視図。
【図８】ノブ構造の詳細を示す前面下方から見た斜視図。
【図９】可動アクチベータの詳細を示す斜視図であって、第２の誤用防止手段の１例が示されている。
【図１０】容器の第２の実施の形態の前面図であって、紙又はプラスチック製シュラウド（囲い）を付着させたものを示す図。
【図１１Ａ】図１０に示す第２の実施の形態の容器の未操作状態における側面図。
【図１１Ｂ】図１１Ａの容器を上から見た斜視図。
【図１２Ａ】図１０に示す容器の操作状態における側面図。
【図１２Ｂ】図１２Ａの容器を上から見た斜視図。
【図１３Ａ】シュラウド、ライニング、詰綿、ノブ、フィルターおよびテープの全てを除いた場合の図１１Ａの容器を上から見た斜視図。
【図１３Ｂ】図１３Ａに示す容器の背面図。
【図１３Ｃ】ライニングを上から見た斜視図（但し、縮尺は忠実ではない）。
【図１３Ｄ】シュラウドを上から見た斜視図（但し、縮尺は忠実ではない）。
【図１４】シュラウドを除いた図１１Ａの容器のアクチベータのノブのハウジングを貫通する径方向断面図。
【図１５】アクチベータのノブのハウジングの分解斜視図であって、下方から見たときの斜視図。
【図１６】ライニングを除いた容器を上から見た斜視図。
【符号の説明】
【００３９】
１０１    容器
１０２    リップ
１０３    リブ
１０４    ベース
１０５    指示表示
１０６    ハウジング
１０７    活性化用ノブ
１０８    フランジ
１０９    誤用防止タブ
１１０    肉薄部
１１１    脆弱接合部
１１２、１１２'    溝
１１３    ボウル
１１４    隔壁
１１５    凸状領域
１１６    三日月型領域
１１７    ハウジング
１１８    垂直ポート
１１９    水平孔
１２０    ボウル
１２１Ａ  心棒
１２２    ポート
２０１    容器
２０２    シュラウド
２０３    補強リブ
２０４    ボス
２０５    補強部材
２０６    ハウジング
２０７    活性化用ノブ
２０８    フランジ
２０９    タブ
２１０    舌部列
２１０'    溝列
２１１    脆弱接続部
２１６    第１の貯蔵部
２１７    ハウジング
２２０    ライニング
２５０    周方向爪車
２５１    爪
２５２    リップ
２５３    スロート
２５４    上方通気口
２５５    下方通気口
２５６    トラフ
２５７    吸収材詰綿
２５８    窪み
２５９    導管
２６１    フランジ
２６２、２６３    マニホールド
２６４，２６４'    ラグ（出張り）
【図１ａ】
2008500243.tif 000003
【図１ｂ】
2008500243.tif 000004
【図２】
2008500243.tif 000005
【図３】
2008500243.tif 000006
【図４】
2008500243.tif 000007
【図５】
2008500243.tif 000008
【図６】
2008500243.tif 000009
【図７】
2008500243.tif 000010
【図８】
2008500243.tif 000011
【図９】
2008500243.tif 000012
【図１０】
2008500243.tif 000013
【図１１Ａ】
2008500243.tif 000014
【図１１Ｂ】
2008500243.tif 000015
【図１２Ａ】
2008500243.tif 000016
【図１２Ｂ】
2008500243.tif 000017
【図１３Ａ】
2008500243.tif 000018
【図１３Ｂ】
2008500243.tif 000019
【図１３Ｃ】
2008500243.tif 000020
【図１３Ｄ】
2008500243.tif 000021
【図１４】
2008500243.tif 000022
【図１５】
2008500243.tif 000023
【図１６】
2008500243.tif 000024
【国際調査報告】
2008500243.tif 000025
2008500243.tif 000026
2008500243.tif 000027
2008500243.tif 000028
2008500243.tif 000029